(57)【要約】【課題】  ユーザが煩雑な操作を行うことなく、現在撮像しようとしている画像と、過去に撮像して記憶してある画像とを比較しながら撮像を行うことができるビデオカメラを提供する。【解決手段】  撮像モードにおいて撮像画像表示部に現在撮像しようとしている画像と過去に撮像して記憶してある画像とを並べて表示することができるビデオカメラ。【選択図】  図３
2005354563.tif 000002
【特許請求の範囲】
【請求項１】
画像を表示する表示部を備えた撮像装置であって、
前記表示部は撮像モードにおいて、現在撮像しようとしている画像が表示される第１の表示領域と、現在撮像しようとしている画像以外の画像が表示される１以上の第２の表示領域とを有することを特徴とする撮像装置。
【請求項２】
前記第２の表示領域には、前記撮像装置に記憶されている画像が表示されることを特徴とする請求項１に記載の撮像装置。
【請求項３】
前記第２の表示領域には、直前に撮像した画像が表示されることを特徴とする請求項１に記載の撮像装置。
【請求項４】
パノラマモードでは、前記第１の表示領域に表示されている現在撮像しようとしている画像と、前記第２の表示領域に表示されている直前に撮像した画像とが縦又は横方向にほぼ連続する状態となったときに、ユーザに通知を行うことを特徴とする請求項３に記載の撮像装置。
【請求項５】
請求項１から４のいずれか１項に記載の撮像装置を用いて、縦又は横方向に連続した複数の画像を撮像し、それらの画像を合成することによりパノラマ画像を作成する方法であって、
前記第２の表示領域に直前に撮像した画像を表示しながら、前記第１の表示領域に表示されている画像を撮像することを特徴とする方法。
【発明の詳細な説明】
【技術分野】
【０００１】
本発明は、固体撮像素子により被写体の画像を電子的に撮像するデジタルビデオカメラに関し、特に、カメラ本体のレンズと反対側の表面に撮像画像表示部を設けたデジタルビデオカメラに関するものである。
【背景技術】
【０００２】
近年、固体撮像素子により被写体の画像を電子的に撮像するデジタルビデオカメラが普及している。図１は、従来のデジタルビデオカメラの構成を概略的に示す図である。図１に示すデジタルビデオカメラ１００は、レンズ１１０、シャッター１２０及び液晶パネル等を用いた撮像画像表示部１３０を備えている。また、図示しないが、ファインダ、各種操作ボタン、ストロボ、メモリ装置等を適宜備えているものとする。
【０００３】
デジタルビデオカメラ１００を用いて撮像を行うには、レンズ１１０を被写体に向け、撮像画像表示部１３０に表示される画面を見ながら撮像位置を合わせた後、さらにファインダにより撮像位置を微調整してからシャッター１２０を押すという一連の動作を行う。撮像された画像は、デジタルビデオカメラ１００のメモリ等に記憶されることとなる。デジタルビデオカメラ１００の操作ボタン等によりこの記憶された画像を撮像画像表示部１３０に表示することになる。以下において、撮像画像表示部１３０に記憶された画像を表示するモードを「表示モード」とし、撮像画像表示部１３０にレンズにより撮像されている画像を表示するモードを「撮像モード」とする。
【０００４】
特許文献１には、図１に示す従来のデジタルビデオカメラと同様の電子カメラ装置であって、ユーザの撮影補助のためのテンプレート画像を表示することにより、本体保持の仕方や被写体に対する構え方をユーザが間違うことなく縦横撮影を適切かつ容易に行うことができる簡単な構成の電子カメラ装置が記載されている。
【０００５】
【特許文献１】特開２０００−２７０２５０号公報。
【発明の開示】
【発明が解決しようとする課題】
【０００６】
上記したように、従来のデジタルビデオカメラでは、撮像画像表示部には表示モード又は撮像モードのいずれかの画像が表示されるようになっている。ところが、ユーザは、撮像モードで撮像をしている最中に、記憶してある画像を表示させることがしばしばある。例えば、現在撮像しようとしている画像と、過去に撮像して記憶してある画像とを比較しながら撮像位置などを調整するためである。この場合、ユーザは、表示モードと撮像モードとを何度も切り替えながら画像を比較しなければならないこととなり、操作が非常に煩雑となってしまう。
【０００７】
また、デジタルビデオカメラでは、撮像した画像をデジタル加工処理できることから、縦又は横方向に連続した複数の画像を撮像し、後にＰＣ上の画像処理ソフトなどを用いてそれらの画像をつなぎ合わせることによりパノラマ画像を生成することも行われている。図２を参照しながら、デジタルビデオカメラによりパノラマ画像を撮像する方法を説明する。図２（ａ）に示すように、撮影対象が横方向に広がっている場合には、横方向に連続し、かつ、一部が互いに重複した複数の撮像範囲２０１及び２０２を設定し、それぞれ画像を撮像する。撮像範囲２０１及び２０２を撮像するとき、撮像画像表示部にはそれぞれ図２（ｂ）及び（ｃ）に示すような画像が表示される。その後、ＰＣなどにより２つの撮像画像データを繋ぎ合わせる画像処理することにより、１枚のパノラマ画像が生成される。ところが、この場合にも、撮像範囲２０１及び２０２を適切に設定するためには、先に撮像した画像を表示して撮像位置を確認しながら撮像を行わねばならず、ユーザは上記同様の煩雑な操作を行わなければならない。
【０００８】
本発明は、このような実情に鑑みてなされたものであり、ユーザが煩雑な操作を行うことなく、現在撮像しようとしている画像と、過去に撮像して記憶してある画像とを比較しながら撮像を行うことができる撮像装置を提供しようとするものである。
【課題を解決するための手段】
【０００９】
上記解決課題に鑑みて鋭意研究の結果、本発明者は、撮像モードにおいて撮像画像表示部に現在撮像しようとしている画像と過去に撮像して記憶してある画像とを並べて表示することに想到した。
【００１０】
すなわち、本発明は、画像を表示する表示部を備えた撮像装置であって、前記表示部は撮像モードにおいて、現在撮像しようとしている画像が表示される第１の表示領域と、現在撮像しようとしている画像以外の画像が表示される１以上の第２の表示領域とを有することを特徴とする撮像装置を提供するものである。本発明において、撮像装置とは、デジタルスチルカメラ、デジタルビデオカメラ、アナログカメラ等を含んでいるものとする。
【００１１】
本発明の撮像装置において、前記第２の表示領域には、前記撮像装置に記憶されている画像が表示されることを特徴とする。これにより、先に撮像しておいた画像や比較対照とするべき画像と現在撮像しようとしている画像とを比較しながら撮像を行うことが可能となる。
【００１２】
本発明の撮像装置において、前記第２の表示領域には、直前に撮像した画像が表示されることを特徴とする。これにより、直前に撮像した画像と連続性がある画像を撮像する場合には、撮像条件を適切に調整することができる。
【００１３】
本発明の撮像装置において、パノラマモードでは、前記第１の表示領域に表示されている現在撮像しようとしている画像と、前記第２の表示領域に表示されている直前に撮像した画像とが縦又は横方向にほぼ連続する状態となったときに、ユーザに通知を行うことを特徴とする。これにより、画像間の繋ぎ目を正確に把握しながら撮像を行うことが可能となる。
【００１４】
本発明は、さらに、上記いずれかの撮像装置を用いて、縦又は横方向に連続した複数の画像を撮像し、それらの画像を合成することによりパノラマ画像を作成する方法であって、前記第２の表示領域に直前に撮像した画像を表示しながら、前記第１の表示領域に表示されている画像を撮像することを特徴とする方法を提供するものである。これにより、画像間の繋ぎ目を正確に把握しながら撮像を行うことが可能となる。
【発明の効果】
【００１５】
以上、説明したように、本発明のデジタルビデオカメラによれば、ユーザは煩雑な操作を行うことなく、現在撮像しようとしている画像と、過去に撮像して記憶してある画像とを撮像画像表示部に表示させ、これらを比較しながら撮像を行うことができる。
【発明を実施するための最良の形態】
【００１６】
以下、添付図面を参照しながら、本発明のデジタルビデオカメラを実施するための最良の形態を詳細に説明する。図１〜図４は、本発明の実施の形態を例示する図であり、これらの図において、同一の符号を付した部分は同一物を表わし、基本的な構成及び動作は同様であるものとする。
【００１７】
本実施形態のデジタルビデオカメラは、その全体構成において図１に示す従来のデジタルビデオカメラと同様であるため、ここではその説明を省略する。また、本実施形態のデジタルビデオカメラの内部構成についても、従来のデジタルビデオカメラと同様であり、特許文献１の図２に示すごとく構成されるものとする。
【００１８】
次に、図３を参照しながら、本実施形態のデジタルビデオカメラの撮像モードにおける撮像画像表示の態様について説明する。図３（ａ）に示すように、本実施形態のデジタルビデオカメラ１００の撮像画像表示部１３０は、２つの表示領域１３０Ａ及び１３０Ｂを有している。撮像画像表示部１３０の表示領域１３０Ａに現在レンズにより撮像されている画像が表示され、表示領域１３０Ｂにデジタルビデオカメラ内に記憶されている画像が表示されるようになっている。尚、このように撮像画像表示部１３０に２つの表示領域が表れるのは撮像モードにおいてのみであり、表示モードでは従来どおりの表示が行われるものとする。
【００１９】
本実施形態のデジタルビデオカメラ１００を撮像モードにし、図３（ｂ）に示す状態でシャッター１２０を押すと、撮像画像表示部１３０の表示領域１３０Ａに表示されている画像が撮像され、デジタルビデオカメラ内のメモリ等に記憶されるとともに、撮像された画像が撮像画像表示部１３０の表示領域１３０Ｂに表示される。このときの撮像画像表示部１３０の表示画面を図３（ｃ）に示す。この後、続けて表示領域１３０Ａに表示されている画像を撮像することができる。続けて撮像を行うと、撮像された画像はデジタルビデオカメラ内のメモリ等に記憶されるとともに、撮像画像表示部１３０の表示領域１３０Ｂには、直前に撮像された画像が表示されることとなる。
【００２０】
尚、撮像画像表示部１３０の表示領域１３０Ｂには他の画像を表示させることもできる。例えば、操作ボタン等により所定の操作を行って、デジタルビデオカメラ内のメモリ等に記憶されている任意の画像を撮像画像表示部１３０の表示領域１３０Ｂに表示させることができる。すなわち、任意の画像を撮像画像表示部１３０の表示領域１３０Ｂに表示させながら、表示領域１３０Ａに表示されている画像を撮像することができる。
【００２１】
本実施形態のデジタルビデオカメラのこのような機能を利用することにより、先に撮像して記憶してある画像を見ながら、現在撮像しようとしている画像を適切な構図や撮像範囲で撮像することが可能となる。例えば、異なる複数の画像を撮像する場合に、画像間で構図やパースを統一させたり、明るさや遠近感を揃えたりしながら、画像を撮像することが可能となる。
【００２２】
また、本実施形態のデジタルビデオカメラは、上記したように複数の画像を連続して
撮像した後、縦又は横方向に繋げてパノラマ写真を合成する場合にも有用である。図４に示すように、現在撮像しようとしている画像を撮像画像表示部１３０の表示領域１３０Ａに表示し、その直前に撮像した画像を撮像画像表示部１３０の表示領域１３０Ｂに表示して、両画像を比較しながら撮像すれば、両画像の繋ぎ目を正確に位置決めすることができる。さらに、好ましい実施形態では、撮像画像表示部１３０の表示領域１３０Ａに表示されている現在撮像しようとしている画像と、表示領域１３０Ｂに表示されている直前に撮像した画像とが縦又は横方向にほぼ連続する状態となったときに、デジタルビデオカメラが音や光によりユーザに通知を行うようになっている。これにより、ユーザはパノラマ画像の合成を行うのに適当な撮像位置でシャッター１２０を押して、撮像を行うことができる。
【００２３】
以上、本発明のデジタルビデオカメラについて、具体的な実施の形態を示して説明したが、本発明はこれらに限定されるものではない。当業者であれば、本発明の要旨を逸脱しない範囲内において、上記各実施形態又は他の実施形態にかかる発明の構成及び機能に様々な変更・改良を加えることが可能である。
【００２４】
例えば、デジタルビデオカメラの撮像画像表示部は、いくつの表示領域に分割されていても構わない。その場合、１の表示領域が現在撮像しようとしている画像を表示する領域であり、他の１以上の表示領域がそれぞれ先に撮像して記憶してある画像を表示する領域となる。また、デジタルビデオカメラ本体のメモリに記憶されている画像のみならず、リムーバブルメディアや外部記憶装置、外部端末などから取得される画像を上記表示領域に表示させるようにすることも当然可能である。
【産業上の利用可能性】
【００２５】
本発明のデジタルビデオカメラは、レンズにより撮像している画像又はメモリ等に記憶している画像を表示するための表示部を有するデジタルカメラに一般的に利用可能であり、表示部の画像表示用プログラムとして実装され得るものである。
【図面の簡単な説明】
【００２６】
【図１】従来のデジタルビデオカメラの構成を概略的に示す図である。
【図２】デジタルビデオカメラによりパノラマ画像を撮像する方法を示す図である。
【図３】本発明のデジタルビデオカメラの撮像モードにおける撮像画像表示の態様を例示する図である。
【図４】本発明のデジタルビデオカメラの撮像モードにおいてパノラマ画像を撮像する場合の例を示す図である。
【符号の説明】
【００２７】
１００  デジタルビデオカメラ
１１０  レンズ
１２０  シャッター
１３０  撮像画像表示部
１３０Ａ  表示領域
１３０Ｂ  表示領域
【図１】
2005354563.tif 000003
【図２】
2005354563.tif 000004
【図３】
2005354563.tif 000005
【図４】
2005354563.tif 000006